(57)【要約】【課題】必要最小限の電力消費で画像データの転送が可能なカメラを提供する。【解決手段】本発明に係るカメラ（１０）は、撮像手段（１１）と、無線メモリカード２０を装着可能なカードスロット１４と、カメラの主要動作部に電力を供給する第１電源回路（１）と、前記メモリカードに電力を供給する第２電源回路（２）と、撮影者の操作入力を取得する操作入力手段（１２）と、前記操作入力手段に対する操作入力を検出する操作検出手段（１６）と、タイマ手段（１６）と、前記操作検出手段で所定時間操作入力を検出しない場合に、前記メモリカードが画像データの転送中であれば、当該画像データの転送完了予定時間を算出し、当該転送完了予定時間で前記タイマ手段の計時を開始するとともに、前記第１電源回路を非動作状態とし、前記タイマ手段の計時がタイムアウトしたときは、前記第２電源回路を非動作状態とする電源制御手段（１６）とを備える。【選択図】図１
2013192043.tif 000002
【特許請求の範囲】
【請求項１】
被写体像を撮像して画像データに変換する撮像手段と、
記録している画像データを外部機器へ転送する通信機能を有するメモリカードを装着可能なカードスロットと、
カメラの主要動作部に電力を供給する第１電源回路と、
前記カードスロットを介して前記メモリカードに電力を供給する第２電源回路と、
撮影者の操作入力を取得する操作入力手段と、
前記操作入力手段に対する操作入力を検出する操作検出手段と、
設定された時間を計時するタイマ手段と、
前記操作検出手段で所定時間操作入力を検出しない場合に、前記カードスロットに装着された前記メモリカードが画像データの転送中であるときは、当該画像データの転送完了予定時間を算出して、当該転送完了予定時間で前記タイマ手段の計時を開始するとともに、前記第１電源回路による電力の供給を停止させ、前記タイマ手段の計時が前記転送完了予定時間に達したときは、前記第２電源回路による電力の供給を停止させる電源制御手段と、
を備えることを特徴とするカメラ。
【請求項２】
請求項１に記載のカメラであって、
前記電源制御手段は、前記タイマ手段の計時が前記転送完了予定時間に達したときは、前記第１電源回路による電力の供給を開始させ、そのときに前記カードスロットに装着された前記メモリカードが画像データの転送中である場合は、当該画像データの転送完了予定時間を算出して、当該転送完了予定時間で前記タイマ手段の計時を開始するとともに、前記第１電源回路による電力の供給を停止させることを特徴とするカメラ。
【請求項３】
請求項１又は２に記載のカメラであって、
前記電源制御手段は、前記メモリカードに記録されている画像データのデータ容量と通信経路の転送レートとに基づいて転送完了予定時間を算出することを特徴とするカメラ。
【請求項４】
請求項１乃至３のいずれか一項に記載のカメラであって、
前記電源制御手段は、前記メモリカードに記録されている画像データの未送信ファイルの数と送信済みファイルの数とを定期的に検査することにより、前記メモリカードが画像データの転送中か否かを判別することを特徴とするカメラ。
【請求項５】
請求項１乃至４のいずれか一項に記載のカメラであって、
前記電源制御手段は、前記操作検出手段で所定時間操作入力を検出しない場合に、前記カードスロットに装着された前記メモリカードが画像データの転送中でないときは、前記第１及び第２電源回路による電力の供給を停止させることを特徴とするカメラ。
【発明の詳細な説明】
【技術分野】
【０００１】
本発明は、メモリカードを装着可能なデジタルカメラに関する。
【背景技術】
【０００２】
一般的なデジタルカメラ（以下、カメラ）は、画像データをメモリカードに記録しており、このメモリカードを装着するためのカードスロットを備えている。カードスロットには、通常のメモリカードのほか、無線ＬＡＮ送信機能を備えたメモリカード（以下、無線メモリカード）を装着することができる。無線メモリカードを装着したカメラで撮影を行うと、無線ＬＡＮが利用可能な環境下において、無線メモリカードからＰＣ（パーソナルコンピュータ）や画像サーバに自動的に画像データが転送される。
【０００３】
一方、ほとんどのカメラは、所定時間、ユーザの操作が行われない場合に、カメラ内部への電力供給を一部のみを残して停止する、いわゆる半押しタイマと呼ばれる機能を備えている。この半押しタイマ機能が働くと、カメラは省電力モードへ移行し、ユーザがカメラに対して何らかの操作入力を行うまでスタンバイ（スリープ）状態となる。しかし、上述のような無線メモリカードによる画像データの転送中に半押しタイマ機能が働いて電力供給が停止してしまうと、画像データを正常に転送できなくなる。このため、無線メモリカードが画像データを転送している間は、カメラ内部への電力供給を停止しないようにした撮像装置が提案されている（例えば、特許文献１参照）。
【先行技術文献】
【特許文献】
【０００４】
【特許文献１】特開２００５−１６７６３４号公報
【発明の概要】
【発明が解決しようとする課題】
【０００５】
しかしながら、上述した特許文献１の撮像装置では、画像データの転送が完了するまで省電力モードに移行することがなく、撮影待機時と同じく撮像素子などのカメラの主要動作部に電力の供給が行われる。このため、電力消費が増大し、撮影枚数が少なくなることが考えられる。
【０００６】
本発明の課題は、必要最小限の電力消費で画像データの転送が可能なカメラを提供することにある。
【課題を解決するための手段】
【０００７】
本発明は、以下のような解決手段により前記課題を解決する。なお、理解を容易にするために、本発明の実施形態に対応する符号を付して説明するが、これに限定されるものではない。
請求項１に記載の発明は、被写体像を撮像して画像データに変換する撮像手段（１１）と、記録している画像データを外部機器へ転送する通信機能を有するメモリカード（２０）を装着可能なカードスロット（１４）と、カメラの主要動作部に電力を供給する第１電源回路（１）と、前記カードスロットを介して前記メモリカードに電力を供給する第２電源回路（２）と、撮影者の操作入力を取得する操作入力手段（１２）と、前記操作入力手段に対する操作入力を検出する操作検出手段（１６）と、設定された時間を計時するタイマ手段（１６）と、前記操作検出手段で所定時間操作入力を検出しない場合に、前記カードスロットに装着された前記メモリカードが画像データの転送中であるときは、当該画像データの転送完了予定時間を算出して、当該転送完了予定時間で前記タイマ手段の計時を開始するとともに、前記第１電源回路による電力の供給を停止させ、前記タイマ手段の計時が前記転送完了予定時間に達したときは、前記第２電源回路による電力の供給を停止させる電源制御手段（１６）とを備えることを特徴とするカメラ（１０）である。
請求項２に記載の発明は、請求項１に記載のカメラ（１０）であって、前記電源制御手段（１６）は、前記タイマ手段（１６）の計時が前記転送完了予定時間に達したときは、前記第１電源回路（１）による電力の供給を開始させ、そのときに前記カードスロット（１４）に装着された前記メモリカード（２０）が画像データの転送中である場合は、当該画像データの転送完了予定時間を算出して、当該転送完了予定時間で前記タイマ手段の計時を開始するとともに、前記第１電源回路による電力の供給を停止させることを特徴とする。
請求項３に記載の発明は、請求項１又は２に記載のカメラ（１０）であって、前記電源制御手段（１６）は、前記メモリカード（２０）に記録されている画像データのデータ容量と通信経路の転送レートとに基づいて転送完了予定時間を算出することを特徴とする。
請求項４に記載の発明は、請求項１乃至３のいずれか一項に記載のカメラ（１０）であって、前記電源制御手段（１６）は、前記メモリカード（２０）に記録されている画像データの未送信ファイルの数と送信済みファイルの数とを定期的に検査することにより、前記メモリカードが画像データの転送中か否かを判別することを特徴とする。
請求項５に記載の発明は、請求項１乃至４のいずれか一項に記載のカメラ（１０）であって、前記電源制御手段（１６）は、前記操作検出手段（１６）で所定時間操作入力を検出しない場合に、前記カードスロット（１４）に装着された前記メモリカード（２０）が画像データの転送中でないときは、前記第１（１）及び第２電源回路（２）による電力の供給を停止させることを特徴とする。
なお、符号を付して説明した構成は、適宜改良してもよく、また、少なくとも一部を他の構成物に代替してもよい。
【発明の効果】
【０００８】
本発明によれば、必要最小限の電力消費で画像データの転送が可能なカメラを提供することができる。
【図面の簡単な説明】
【０００９】
【図１】実施形態に係るカメラ１０の機能的な構成を示すブロック図である。
【図２】カメラプロセッサ１６が半押し機能により省電力モードへ移行する場合の処理手順を示すフローチャートである。
【発明を実施するための形態】
【００１０】
以下、図面を参照して、本発明に係るカメラの実施形態について説明する。図１は、本実施形態に係るカメラ１０の機能的な構成を示すブロック図である。なお、本実施形態に係るカメラ１０は、カメラ本体に対して不図示のレンズ鏡筒が着脱自在に装着されるデジタル一眼レフカメラである。このレンズ鏡筒には撮影レンズが組み込まれている。撮影レンズに被写体光が入射すると、後述する撮像部１１の受光面に被写体像が形成される。
【００１１】
撮像部１１は、被写体像を受光面で撮像する不図示の撮像素子を備える。この撮像素子で撮像された画像信号は、カメラプロセッサ１６の画像処理機能により各種の画像処理や圧縮処理が施された後、画像データとして出力される。
【００１２】
また、カメラ１０は、撮像部１１のほかに、不図示の絞り／シャッタ部、測距センサ、測光センサ、液晶モニタ、ミラーユニット、メインミラー、サブミラーなどを備える。
【００１３】
レリーズボタン１２は、ユーザの操作入力を取得する操作入力手段である。レリーズボタン１２は、カメラプロセッサ１６と接続されている。レリーズボタン１２がユーザにより半押し操作されると、上述した測光センサによる測光、測距センサによる測距が行われ、後述するカメラプロセッサ１６において露出値やレンズ駆動量の演算、及び焦点調節などが行われる。また、レリーズボタン１２が全押しされると、上述したミラーユニットによりメインミラー及びサブミラーがミラーアップされるとともに、絞り／シャッタ部による露出制御が行われる。これにより、不図示の撮影レンズを通過した被写体像が撮像部１１で撮像される。
【００１４】
先に説明した半押しタイマ機能により、カメラ１０が省電力モードに移行してスタンバイ状態となった後、例えばユーザがレリーズボタン１２を半押し操作すると、カメラプロセッサ１６によりレリーズボタン１２の半押し操作が検出され、撮影待機状態となる。撮影待機状態は、カメラ１０が即時に撮影可能な状態である。そして、この撮影可能状態において、所定時間（例えば８秒間）、ユーザによる操作入力が検出されないと、半押しタイマ機能によりカメラ１０は再び省電力モードに移行してスタンバイ状態となる。
【００１５】
なお、本実施形態では、ユーザの操作入力を取得する操作入力手段としてレリーズボタン１２を図示しているが、カメラプロセッサ１６と接続された不図示のボタン、スイッチ、ダイアルなどの操作部材も操作入力手段として機能する。これらの操作部材は、撮影モードや機能の切り替えのほか、制御量などの設定、変更などを行うためのものである。
【００１６】
ワークメモリ１３は、カメラプロセッサ１６が各種の画像処理や圧縮処理を施す際に画像データが一時的に保持されるメモリである。画像処理などが施された画像データは、所定フォーマットの画像ファイルとして、ワークメモリ１３から後述するカードスロット１４に装填された無線メモリカード２０に順次記録される。なお、連続して撮影が行われた場合、無線メモリカード２０に連続的に画像ファイルの記録が行われることになるが、記録が間に合わない場合には、ワークメモリ１３に記録待ちの画像ファイルが保持される。なお、本実施形態において、画像ファイルとは、撮影１コマ毎の画像データを指すものとする。
【００１７】
また、カメラ１０は、ワークメモリ１３のほかに、カメラ１０の制御に必要なプログラムや、このプログラムの実行に必要な初期値や設定値などが記憶されるメモリや、ユーザによる設定値、カスタム設定に関する情報などを記憶するメモリを備える。
【００１８】
カードスロット１４は、画像ファイルをメモリカードに記録するとともに、メモリカードに記録された画像ファイルを読み出す機能を備える書き込み／読み込み装置である。このカードスロット１４には、通常のメモリカードのほか、図示の無線メモリカード２０が装着される。本実施形態では、カードスロット１４に無線メモリカード２０が装着されている。
【００１９】
電源部１５は、カメラ１０を動作させるための電力を供給する電源である。電源部１５の不図示のバッテリケースには、一次電池又は二次電池が装填される。電源部１５に装填された電池の電力は、電源回路１〜３にそれぞれ供給される。図１において、太線の矢印は電力の供給ラインを示している。
【００２０】
電源回路１は、撮像部１１、ワークメモリ１３、カメラプロセッサ１６などのカメラ１０の主要動作部に電力を供給する、カメラ１０の主電源回路である。電源回路１は、例えばスイッチングレギュレータなどのＤＣ−ＤＣコンバータにより構成される。
【００２１】
電源回路２は、カードスロット１４を介して無線メモリカード２０に電力を供給するメモリカード専用の電源回路である。無線メモリカード２０は、電源回路２から供給される電力により画像ファイルの転送を行う。電源回路２は、例えばスイッチングレギュレータなどのＤＣ−ＤＣコンバータにより構成される。
【００２２】
電源回路３は、カメラプロセッサ１６にバックアップ用の電力を供給する電源回路であり、カメラ１０の動作状態に係わらず、電源部１５から常に供給されている。電源回路３は、自己の電力消費を抑えた、いわゆるシリーズレギュレータにより構成される。
【００２３】
カメラプロセッサ１６の動作に必要な電力は、通常は電源回路１から供給される。しかし、電源回路１の動作が停止状態となったときは、電源回路３からカメラプロセッサ１６に電力が供給される。ただし、電源回路３から供給される電力は、カメラプロセッサ１６がユーザの操作入力を検出するなどの、負荷の軽い処理を実行するのに必要な最小限の電力となる。このため、例えば、無線メモリカード２０が画像ファイルの転送中であるか否かを検査するなどの処理を実行するには、電源回路１から電力が供給される必要がある。
【００２４】
カメラプロセッサ１６は、カメラ１０全体の動作を統括的に制御する回路であり、マイクロプロセッサ及びその周辺回路により構成されている。カメラプロセッサ１６は、レリーズボタン１２が半押し操作されたときに、不図示の測光センサによる測光、測距センサによる測距を行い、露出値（絞り値、シャッタスピード値）やレンズ駆動量を演算するとともに、不図示のレンズ鏡筒を制御して焦点調節などを行う。そして、レリーズボタン１２が全押し操作されると、ミラーユニットを駆動してメインミラー及びサブミラーをミラーアップさせるとともに、必要に応じて焦点調節の制御を行いながら、絞り／シャッタ部を制御して露出制御を行う。これにより、不図示の撮影レンズを通過した被写体像が撮像部１１で撮像される。
【００２５】
カメラプロセッサ１６は、例えばレリーズボタン１２の操作入力など、操作入力手段に対するユーザの操作入力を検出する操作検出手段としての機能を備える。また、設定された時間を計時するタイマ手段としての機能（以下、タイマ機能という）を備える。
【００２６】
また、カメラプロセッサ１６は、電源回路１及び２による電力の供給を制御している。すなわち、カメラプロセッサ１６は、電源回路を動作状態とすることにより電力の供給を開始させ、電源回路を非動作状態とすることにより電力の供給を停止させている。図１において、細線の矢印は、カメラプロセッサ１６が各電源回路を動作状態又は非動作状態とするための制御信号の送信ラインを示している。カメラプロセッサ１６は、以下のような電源制御手段としての機能を備える。
【００２７】
カメラプロセッサ１６は、所定時間、ユーザの操作入力を検出しない場合に、カードスロット１４に装着された無線メモリカード２０が画像ファイルの転送中であるときは、無線メモリカード２０に残っている未送信の画像ファイルの転送完了予定時間を算出する。そして、この転送完了予定時間をタイムアウト時間として、タイマ機能による計時を開始するとともに、電源回路１による電力の供給を停止させる。
【００２８】
ここで、画像ファイルの転送完了予定時間は、無線メモリカード２０に記録されている画像ファイルのデータ容量と、無線ＬＡＮなどの通信経路の転送レートとに基づいて算出する。なお、通信経路の転送レートは、通信経路毎に設定した固定値であってもよいし、無線メモリカード２０に記録されている転送レートの情報を参照するようにしてもよい。また、画像ファイルを転送している状況をモニタすることにより、画像ファイルの転送に要する時間を計算するようにしてもよい。例えば、前回の通信において、５ＭＢの画像ファイルを３０秒で転送しているとすると、転送レートが同じであれば、１０ＭＢの画像ファイルの転送完了予定時間は１分と計算される。
【００２９】
また、カードスロット１４に装着された無線メモリカード２０が画像ファイルの転送中であるか否かは、無線メモリカード２０に記録されている画像ファイルの未送信ファイルの数と送信済みファイルの数とを定期的に検査することにより判別することができる。すなわち、前回の検査結果と今回の検査結果とを比較したときに、送信済みファイルの数が増えて、未送信ファイルの数が減っていれば、画像ファイルの転送中と判別することができる。このような検査は、例えば、カメラ１０の電源がオンしている間、或いはユーザによる操作入力を検出しなくなってから一定時間毎に実施する。
【００３０】
なお、上記のような画像ファイルの検査を行う場合は、電源回路２から無線メモリカード２０へ電力が供給されているだけでなく、電源回路１からカメラプロセッサ１６などの主要動作部に電力が供給されている必要がある。
【００３１】
また、電源制御手段としての機能において、カメラプロセッサ１６は、タイマ機能による計時が転送完了予定時間に達したときは、電源回路１による電力の供給を開始させる（動作状態）。そして、カメラプロセッサ１６は、カードスロット１４に装着された無線メモリカード２０が画像ファイルの転送中であるか否かを検査し、画像ファイルの転送中であれば、残っている画像ファイルの転送完了予定時間を算出する。更に、カメラプロセッサ１６は、算出した転送完了予定時間をタイムアウト時間としてタイマ機能による計時を開始するとともに、電源回路１による電力の供給を停止させる。
【００３２】
このように、カメラプロセッサ１６は、タイマ機能による計時が転送完了予定時間に達したときに、無線メモリカード２０が画像ファイルの転送中であれば、無線メモリカード２０に残っている未送信の画像ファイルについて、改めて転送完了予定時間を算出し、この転送完了予定時間をタイムアウト時間として、再度タイマ機能による計時を開始するようにしている。これは、無線メモリカード２０に記録されている画像ファイルの転送時間は、通信条件などの外的な要因で変化するため、先に算出した転送完了予定時間で画像ファイルの転送が完了するとは限らないからである。したがって、本実施形態のように、タイマ機能による計時がタイムアウトする度に、無線メモリカード２０が画像ファイルの転送中であるか否かを検査することにより、画像ファイルの転送中であるにも係わらず、電源回路２によるカードスロット１４への電力の供給が停止することを防ぐことができる。
【００３３】
一方、カメラプロセッサ１６は、タイマ機能による計時が転送完了予定時間に達したときに、無線メモリカード２０が画像ファイルの転送中でなければ、電源回路１，２による電力の供給を停止させるようにしている。このように、画像ファイルの転送中でなければ、電力消費の大きな電源回路１，２による電力の供給を停止することになる。
【００３４】
次に、無線メモリカード２０について説明する。図１に示すように、無線メモリカード２０は、コントローラ２１と、フラッシュメモリ２２と、無線ＬＡＮモジュール２３と、を備える。コントローラ２１は、カメラ１０のカードスロット１４を介して画像ファイルを受信したり、動作に必要な電力を取り込んだりする回路である。フラッシュメモリ２２は、カードスロット１４を介して受信した画像ファイルを記録する部分である。無線ＬＡＮモジュール２３は、無線ＬＡＮ用の通信アンテナ２４を備え、無線ＬＡＮを介して画像ファイルを外部機器に転送する。
【００３５】
外部機器としては、例えば、ネットワーク３０に接続された共用の画像サーバ３１や、ＰＣ３２などがある。これらの外部機器は、無線ＬＡＮのセットアップ時に、あらかじめ設定される。無線メモリカード２０のコントローラ２１は、無線ＬＡＮが利用可能な環境下において、フラッシュメモリ２２に記録されている画像ファイルを、無線ＬＡＮモジュール２３（及び通信アンテナ２４）を介して、画像サーバ３１やＰＣ３２に自動的に転送する。
【００３６】
次に、上記のように構成されたカメラ１０において、カメラプロセッサ１６が半押しタイマ機能により省電力モードへ移行する場合の処理手順を図２のフローチャートにより説明する。
【００３７】
まず、カメラプロセッサ１６は、半押しタイマ機能により、所定時間、ユーザの操作入力が検出されていないかを判定する（ステップＳ１）。この判定でＹＥＳであれば、カメラプロセッサ１６は、無線メモリカード２０が画像ファイルを転送中であるかを判定する（ステップＳ２）。この判定は、上述したように、無線メモリカード２０に記録されている画像ファイルの未送信ファイルの数と送信済みファイルの数とを定期的に検査することにより行うことができる。
【００３８】
ステップＳ２の判定でＮＯのとき、すなわち画像ファイルの転送中でなければ、カメラプロセッサ１６は、電源回路１、２を非動作状態として、電源回路１，２による電力の供給を停止させる（ステップＳ３）。これによりカメラ１０は省電力モードに移行してスタンバイ状態となる。続いて、カメラプロセッサ１６は、ユーザによる操作入力が検出されたかを判定する処理を繰り返す（ステップＳ４）。この判定でＹＥＳとなった場合、カメラプロセッサ１６は、電源回路１、２を動作状態として、電源回路１，２による電力の供給を開始させる（ステップＳ５）。これによりカメラ１０は省電力モードから解除されて撮影待機状態となる。
【００３９】
一方、ステップＳ２の判定でＹＥＳであれば、すなわち画像ファイルの転送中であれば、カメラプロセッサ１６は、無線メモリカード２０に残っている未送信の画像ファイルの転送完了予定時間を算出する（ステップＳ６）。続いて、カメラプロセッサ１６は、ステップＳ６で算出した転送完了予定時間をタイムアウト時間として設定し、タイマ機能による計時を開始する（ステップＳ７）。そして、電源回路１を非動作状態として、電源回路１による電力の供給を停止させる（ステップＳ８）。
【００４０】
その後、カメラプロセッサ１６は、タイマ機能による計時がタイムアウトしたかを判定する処理を繰り返す（ステップＳ９）。この判定でＹＥＳとなった場合、カメラプロセッサ１６は、電源回路１を動作状態として、電源回路１による電力の供給を開始させる（ステップＳ１０）。そして、カメラプロセッサ１６は、無線メモリカード２０が画像ファイルを転送中であるかを判定する（ステップＳ１１）。
【００４１】
ステップＳ１１の判定でＹＥＳのとき、すなわち、転送完了予定時間でタイムアウトしても、無線メモリカード２０に未送信の画像ファイルが残っている場合は、ステップＳ６に戻り、改めて転送完了予定時間を算出する。以後、転送完了予定時間でタイムアウトする度に、無線メモリカード２０が画像ファイルを転送中であるかを判定し、無線メモリカード２０に未送信の画像ファイルがなくなるまでステップＳ６〜ステップＳ１１の処理を繰り返す。
【００４２】
また、ステップＳ１１の判定でＮＯのとき、すなわち、転送完了予定時間でタイムアウトしたときに、無線メモリカード２０に未送信の画像ファイルが残っていない場合はステップＳ３へ進む。これによって、カメラ１０は省電力モードに移行してスタンバイ状態となる。
【００４３】
上述した実施形態に係るカメラ１０によれば、以下の効果を奏する。
（１）半押しタイマ機能により省電力モードへ移行するときに、無線メモリカード２０が画像ファイルの転送中である場合は、転送完了予定時間を算出し、この転送完了予定時間が経過するまでの間、電源回路１による電力の供給を停止するようにしている。これによれば、画像ファイルの転送中であっても、カメラ１０の主要動作部である撮像部１１やカメラプロセッサ１６などへの電力の供給を停止することができるので、画像データの転送に影響を与えることなしに、カメラ１０の電力消費を必要最小限とすることができる。
【００４４】
（２）転送完了予定時間でタイムアウトしたときに、無線メモリカード２０に未送信の画像ファイルが残っている場合は、改めて転送完了予定時間を算出してタイマ機能による計時を開始するようにしたので、画像ファイルの転送中であるにも係わらず、電源回路２によるカードスロット１４への電力の供給が停止することを防ぐことができる。
【００４５】
（３）画像ファイルの転送完了予定時間を、無線メモリカード２０に記録されている画像ファイルのデータ容量と、無線ＬＡＮなどの通信経路の転送レートとに基づいて算出するようにしているため、無線ＬＡＮの通信条件が良好な環境下であれば、画像ファイルの転送が完了するまでの時間を正確に算出することができる。
【００４６】
（４）無線メモリカード２０が画像ファイルの転送中であるか否かを、無線メモリカード２０に記録されている画像ファイルの未送信ファイルの数と送信済みファイルの数とを定期的に検査することで判別するようにしたので、カメラプロセッサ１６の処理負担を少なくすることができるとともに、無線メモリカード２０が画像ファイルの転送中であるか否かを速やかに判別することが可能となる。
【００４７】
（５）半押しタイマ機能により省電力モードへ移行するときに、無線メモリカード２０が画像ファイルの転送中でない場合は、電源回路１，２による電力の供給を停止するようにしたので、電力供給をほとんど必要としない期間の電力消費を最も少なくすることができる。
【００４８】
（変形形態）
以上説明した実施形態に限定されることなく、本発明は以下に示すような種々の変形や変更が可能であり、それらも本発明の範囲内である。
【００４９】
（１）無線ＬＡＮの通信条件が良好な環境下では、転送完了予定時間を正確に算出することができるため、このような環境下にある場合は、転送完了予定時間に達した時点で、電源回路２による電力の供給を停止するようにしてもよい。これによれば、転送完了予定時間に達した時点において電源回路１による電力の供給を再開して、無線メモリカード２０が画像データの転送中であるか否かを判別する必要がないため、電源部１５の電力消費を更に少なくすることができる。
【００５０】
（２）半押しタイマ機能により省電力モードへ移行する際に、電源部１５の残容量（使用可能容量）が規定値を下回っている場合、或いは、無線メモリカード２０に残っている未送信の画像ファイルのデータ容量が規定量よりも大きい場合には、画像ファイルの転送中であっても電源回路１，２による電力の供給を停止するようにしてもよい。これによれば、電力消費を少なくすることができるので、画像ファイルの転送よりも、撮影枚数の確保を優先させることができる。
【００５１】
また、上記実施形態及び変形形態は適宜に組み合わせて用いることができるが、各実施形態の構成は図示と説明により明らかであるため、詳細な説明を省略する。更に、本発明は以上説明した実施形態によって限定されることはない。
【符号の説明】
【００５２】
１〜３：電源回路、１０：カメラ、１１：撮像部、１２：レリーズボタン、１３：ワークメモリ、１４：カードスロット、１５：電源部、１６：カメラプロセッサ、２０：無線メモリカード
【図１】
2013192043.tif 000003
【図２】
2013192043.tif 000004